(57)【特許請求の範囲】
【請求項１】
被印字テープを搬送させるための搬送手段と、
前記搬送手段により搬送される前記被印字テープに印字を行って印字テープを生成する印字手段と、
を有する印刷装置であって、
前記被印字テープに対し印字形成されるテキスト文字を操作入力するための操作手段と、
前記印字形成される前記テキスト文字に対応して適用する装飾設定の入力を行うための設定手段と、
所望の表示を行う表示手段と、
前記表示手段を制御し、前記被印字テープにおける印字内容についての、前記操作手段を介した編集操作を受け付けるためのテキスト入力画面を表示する、画面表示制御手段と、
前記テキスト入力画面における、前記編集操作の対象となる部位を表すカーソルを表示する際、これから入力する前記テキスト文字の書式に対応して前記設定手段を介し入力された装飾設定に応じた態様で表示する、カーソル表示制御手段と、
を有することを特徴とする印刷装置。
【請求項２】
請求項１記載の印刷装置において、
前記画面表示制御手段は、
前記編集操作に対応した前記テキスト文字を横書き表示する前記テキスト入力画面を前記表示手段に表示し、
前記カーソル表示制御手段は、
前記テキスト入力画面において、前記横書き表示された状態の１つの前記テキスト文字の左右方向一端、若しくは、左右方向一端近傍に、これから入力する前記テキスト文字の書式に対応して前記設定手段を介し入力された装飾設定に応じた態様で略上下方向の前記カーソルを表示する
ことを特徴とする印刷装置。
【請求項３】
請求項１記載の印刷装置において、
前記画面表示制御手段は、
前記編集操作に対応した前記テキスト文字を横書き表示する前記テキスト入力画面を前記表示手段に表示し、
前記カーソル表示制御手段は、
前記テキスト入力画面において、前記横書き表示された状態の１つの前記テキスト文字の下端、若しくは、下端近傍に、これから入力する前記テキスト文字の書式に対応して前記設定手段を介し入力された装飾設定に応じた態様で略左右方向の前記カーソルを表示する
ことを特徴とする印刷装置。
【請求項４】
請求項２又は請求項３記載の印刷装置において、
前記設定手段により、これから入力する前記テキスト文字の書式としてフォントを所望の書体とする前記装飾設定がなされた場合には、
前記カーソル表示制御手段は、
前記テキスト入力画面において、前記カーソルを、前記所望の書体に応じた態様で表示する
ことを特徴とする印刷装置。
【請求項５】
請求項２又は請求項３記載の印刷装置において、
前記設定手段により、これから入力する前記テキスト文字の書式としてフォントサイズを所望のサイズとする前記装飾設定がなされた場合には、
前記カーソル表示制御手段は、
前記テキスト入力画面において、前記カーソルを、前記所望のサイズに応じた態様で表示する
ことを特徴とする印刷装置。
【請求項６】
請求項２又は請求項３記載の印刷装置において、
前記設定手段により、これから入力する前記テキスト文字の書式として横幅表示を所望の幅とする前記装飾設定がなされた場合には、
前記カーソル表示制御手段は、
前記テキスト入力画面において、前記カーソルを、前記所望の幅に応じた態様で表示する
ことを特徴とする印刷装置。
【請求項７】
請求項２又は請求項３記載の印刷装置において、
前記設定手段により、これから入力する前記テキスト文字の書式として所望の線分を付す前記装飾設定がなされた場合には、
前記カーソル表示制御手段は、
前記テキスト入力画面において、前記カーソルを、前記所望の線分に応じた態様で表示する
ことを特徴とする印刷装置。
【請求項８】
請求項２又は請求項３記載の印刷装置において、
前記設定手段により、これから入力する前記テキスト文字の書式として所望の色彩配分を行う前記装飾設定がなされた場合には、
前記カーソル表示制御手段は、
前記テキスト入力画面において、前記カーソルを、前記所望の色彩配分に応じた態様で表示する
ことを特徴とする印刷装置。
【請求項９】
請求項２又は請求項３記載の印刷装置において、
前記設定手段により、これから入力する前記テキスト文字の書式として所望の文字設定とする前記装飾設定がなされた場合には、
前記カーソル表示制御手段は、
前記テキスト入力画面において、前記カーソルを、前記所望の文字設定に応じた態様で表示する
ことを特徴とする印刷装置。
【請求項１０】
請求項４乃至請求項９のいずれか１項記載の印刷装置において、
前記設定手段による前記装飾設定の内容にかかわらず、前記画面表示制御手段は、前記テキスト入力画面において、前記テキスト文字を、予め固定的に定められた１つの表示態様で表示する
ことを特徴とする印刷装置。
【発明の詳細な説明】
【技術分野】
【０００１】
本発明は、被印字テープに所望の印字を行う印刷装置に関する。
【背景技術】
【０００２】
被印字テープに所望の印字を行う印刷装置が既に知られている（例えば、特許文献１参照）。この印刷装置においては、表示手段（ＬＣＤ）にテキスト入力画面（編集画面）が表示される。このテキスト入力画面が表示された状態で、操作者は、操作手段（キーボード）を介し、作成する印字テープの印字内容についての編集操作を行うことができる。このとき、テキスト入力画面における上記編集操作の対象となる部位（例えば入力済みのテキスト文字の一端近傍、若しくはテキスト文字未入力状態における入力予定部位近傍）を表すために、カーソルが表示される。
【先行技術文献】
【特許文献】
【０００３】
【特許文献１】特開２００８−１７９０６２号公報
【発明の概要】
【発明が解決しようとする課題】
【０００４】
上記従来技術においては、上記のようにして印字テープを作成するとき、操作者が、キーボードを介して入力を行うことで、印字形成されるテキスト文字に対して適用する装飾設定（この例では、「大」「小」等のフォントサイズの設定）を行うことができる。しかしながら、上記テキスト入力画面では、生成される印字テープの外観イメージが表示されるいわゆるプレビュー画面とは異なることから、上記のような装飾設定は画面中のテキスト文字の表示には反映されない。この結果、そのままでは、操作者は、現在どのような装飾設定となっているかを直感的には知ることができず、不便であった。
【０００５】
本発明の目的は、操作者が、テキスト入力画面において、現在どのような装飾設定となっているかを直感的に容易に知ることができる印刷装置を提供することにある。
【課題を解決するための手段】
【０００６】
上記目的を達成するために、本願発明は、被印字テープを搬送させるための搬送手段と、前記搬送手段により搬送される前記被印字テープに印字を行って印字テープを生成する印字手段と、を有する印刷装置であって、前記被印字テープに対し印字形成されるテキスト文字を操作入力するための操作手段と、前記印字形成される前記テキスト文字に対して適用する装飾設定の入力を行うための設定手段と、所望の表示を行う表示手段と、前記表示手段を制御し、前記被印字テープにおける印字内容についての、前記操作手段を介した編集操作を受け付けるためのテキスト入力画面を表示する、画面表示制御手段と、前記テキスト入力画面における、前記編集操作の対象となる部位を表すカーソルを表示する際、これから入力する前記テキスト文字の書式に対応して前記設定手段を介し入力された装飾設定に応じた態様で表示する、カーソル表示制御手段と、を有することを特徴とする。
【０００７】
本願発明の印刷装置においては、画面表示制御手段の制御により、表示手段にテキスト入力画面が表示される。このテキスト入力画面が表示された状態で、操作者は、操作手段を介し、作成する印字テープの印字内容についての編集操作を行うことができる。このとき、テキスト入力画面における上記編集操作の対象となる部位（例えば入力済みのテキスト文字の一端近傍、若しくはテキスト文字未入力状態における入力予定部位近傍）を表すために、カーソルが表示される。
【０００８】
一方、上記のようにして印字テープを作成するとき、本願発明では、操作者が、設定手段を介して入力を行うことで、印字形成されるテキスト文字に対して適用する装飾設定（例えば、「明朝体」「ゴシック体」等の所望の書体、「大サイズ」「小サイズ」等の所望のフォントサイズ、「斜体」「太字」等の所望の文字設定、「白抜き文字」等の所望の色彩配分、「全角」「倍角」等の所望の文字幅、「下線あり」「下線なし」等の所望の線分の付加、等）を行うことができる。
【０００９】
そして、本願発明においては、カーソル表示制御手段が表示手段を制御し、上記のようにテキスト入力画面にカーソルを表示する際、当該カーソルを、設定手段を介し入力された装飾設定に応じた態様で表示する。具体的には、例えば、テキスト文字のフォントを明朝体とする装飾設定の場合はカーソルの両端に左右方向（若しくは上下方向）の鍔部を付加したり、テキスト文字のフォントサイズを小サイズとする装飾設定の場合は、上下方向（若しくは左右方向）のカーソル長さを縮小したり、テキスト文字を倍角表示とする装飾設定の場合は、左右方向（若しくは上下方向）のカーソル幅を増大したり、テキスト文字に下線を付す装飾設定の場合は、カーソルの下端近傍に下線を付加したり、等を行う。
【００１０】
これにより、上述のようなテキスト入力画面であっても、操作者は、現在どのような装飾設定となっているかを直感的に容易に知ることができ、利便性を向上することができる。
【発明の効果】
【００１１】
本発明によれば、操作者が、テキスト入力画面において、現在どのような装飾設定となっているかを直感的に容易に知ることができる。
【図面の簡単な説明】
【００１２】
【図１】本発明の一実施の形態のテープ印字装置の全体構成を表す斜視図である。
【図２】着脱カバーが取り外され、かつ、カートリッジ及び乾電池をカートリッジホルダ及び電池収納部から取り外した状態におけるテープ印字装置の内部構造を表す斜視図である。
【図３】カートリッジの内部構造をローラホルダ、リブ、ヒートシンク、サーマルヘッド等とともに表す平面図である。
【図４】テープ印字装置における制御系の機能的な構成を示すブロック図である。
【図５】各テキスト文字ごとに装飾が設定され、その装飾設定に応じた態様のカーソル表示が行われ、対応する印字ラベルが作成される流れを説明するための説明図である。
【図６】装飾説明欄が付加される例を説明する説明図である。
【図７】テープ印字装置の制御部が備えるＣＰＵによって実行される制御手順を表すフローチャートである。
【図８】書体設定のバリエーションに係わる変形例において、各テキスト文字ごとに装飾が設定され、その装飾設定に応じた態様のカーソル表示が行われ、対応する印字ラベルが作成される流れを説明するための説明図である。
【図９】フォントサイズ大小設定のバリエーションに係わる変形例において、各テキスト文字ごとに装飾が設定され、その装飾設定に応じた態様のカーソル表示が行われ、対応する印字ラベルが作成される流れを説明するための説明図である。
【図１０】文字の横幅設定のバリエーションに係わる変形例において、各テキスト文字ごとに装飾が設定され、その装飾設定に応じた態様のカーソル表示が行われ、対応する印字ラベルが作成される流れを説明するための説明図である。
【図１１】線分付加設定のバリエーションに係わる変形例において、各テキスト文字ごとに装飾が設定され、その装飾設定に応じた態様のカーソル表示が行われ、対応する印字ラベルが作成される流れを説明するための説明図である。
【図１２】各装飾設定の組合せに係わる変形例において、各テキスト文字ごとに装飾が設定され、その装飾設定に応じた態様のカーソル表示が行われ、対応する印字ラベルが作成される流れを説明するための説明図である。
【図１３】テキスト文字の下端に横カーソルを表示する変形例において、各テキスト文字ごとに装飾が設定され、その装飾設定に応じた態様のカーソル表示が行われ、対応する印字ラベルが作成される流れを説明するための説明図である。
【発明を実施するための形態】
【００１３】
以下、本発明の一実施の形態を図面を参照しつつ説明する。なお、以下の各図内に「前」「後」「左」「右」「上」「下」の注記がある場合は、明細書中内の説明における、前方、後方、左方、右方、上方、下方とは、その注記された方向を指す。
【００１４】
＜装置の外観概略構造＞
図１に示すように、テープ印字装置１は、使用者の手によって把持されるいわゆるハンディ型の印刷装置である。このテープ印字装置１（印刷装置に相当）の筐体６は、装置前面を構成する前カバー６Ａと、装置後面を構成する後カバー６Ｂとで構成されている。さらにこの後カバー６Ｂは、種々の機構を内蔵する後カバー本体６Ｂ１と、カートリッジ３１（後述の図３参照）や乾電池（図示せず）を着脱する際に後カバー本体６Ｂ１より取り外し可能な着脱カバー６Ｂ２とで構成されている。
【００１５】
上記前カバー６Ａの上側には、各種設定画面等を表示するための液晶ディスプレイ等の表示部５５０（表示手段に相当）が設けられている。この表示部５５０の前面は、例えば透明のアクリル板等であるカバーパネル２Ａによって覆われている。カラーパネル２Ａの下側には、テープ印字装置１を操作するためのキーやボタン等の操作部３（操作手段及び設定手段に相当）が設けられている。この操作部３には、文字、記号及び数字等の文字キーや種々の機能キーや適宜のボタン等が含まれている。使用者が、印字形成したい内容を操作部３の操作に基づき入力することで、対応する印字データが生成され、その内容は表示部５５０において表示される。また上記後カバー本体６Ｂ１の右側上端には、上記のようにして印字が形成された被印字テープ３０１（後述の図３参照）を切断するためのカットレバー４が設けられている。
【００１６】
＜装置の内部構造＞
テープ印字装置１の内部構造を図２を用いて説明する。図２に示すように、上記前カバー６Ａ及び上記後カバー本体６Ｂ１の内部には、例えば樹脂により成形されたフレーム１３が配設されている。そして、このフレーム１３の後側上部には、カートリッジ３１（後述の図３参照）を着脱するために凹状に形成された平面視矩形状のカートリッジホルダ７が設けられている。
【００１７】
カートリッジホルダ７の下側には、駆動モータ（図示せず）を収納するためのモータ収納部５が設けられている。モータ収納部５のさらに下側には、乾電池を収納するための電池収納部９が設けられている。
【００１８】
上記フレーム１３の上部には、被印字テープ３０１（後述の図３参照）を外部に排出するための排出スリット２４が形成されている。また、フレーム１３の右側上部には、ローラホルダ１７が設けられている。ローラホルダ１７の後側には、当該ローラホルダ１７を覆うように設けられ、板状形状を有した合成樹脂製の板部２５が設けられている。この板部２５の上部には、開口部である突起部挿入口１０が設けられている。また、後カバー本体６Ｂ１の上端部にはロック穴１１が設けられ、下端部にはロック穴１２が２箇所設けられている。
【００１９】
上記フレーム１３の略中央部には凹状に形成されたギア用凹部２６が設けられている。ギア用凹部２６には、ギア（図示せず）が設けられており、当該ギアの歯部は隠蔽用傘部１１４によって覆われ露出しない構造となっている。そして、ギアの後側には、インクリボン５５（後述の図３参照）を巻き取るためのリボン巻取軸１４が立設されている。
【００２０】
また、リボン巻取軸１４の右側にはリブ３０が立設されている。このリブ３０の右側面には矩形状の放熱板であるヒートシンク１５が設けられている。そして、リブ３０と排出スリット２４との間には、ローラ軸２０が立設されている。ローラ軸２０の左側には、凸部２７が立設されている。この凸部２７は、カートリッジ３１の凹部（図示せず）に挿入されることで、カートリッジ３１の前後方向の位置決めをする。
【００２１】
また、上記フレーム１３のうち上記排出スリット２４の近傍には、カッタ刃を備えるカッタホルダ（図示せず）を内部に収容したガイドホルダ４０が設けられている。
【００２２】
また、上記排出スリット２４の近傍には、リブ４２がフレーム１３と一体的に形成されている。排出スリット２４より右側に形成されたリブ４２は、上記板部２５の平面状の後面部２５Ａに対し垂直に立設されている。
【００２３】
＜カートリッジ内部構造＞
カートリッジ３１の内部構造を図３により説明する。図３に示すように、カートリッジケース３３内の左側下部には、インクリボン５５を巻回したリボンスプール５６が回転可能に配置されている。このリボンスプール５６から繰り出されたインクリボン５５は、カートリッジ開口３７１に向けて案内される。
【００２４】
リボンスプール５６の斜め左上方に隣接する側には、リボン巻取スプール５７が回転可能に配置されている。このリボン巻取スプール５７は、リボンスプール５６からインクリボン５５を引き出すと共に、文字や図像等の印字で消費されたインクリボン５５を巻き取る。また、カートリッジ３１の左上側には、被印字テープロール５３（本来は渦巻き状であるが簡略化して単純な円形で図示している）を有している。この被印字テープロール５３は、被印字テープ３０１が、テープ長手方向と直交する方向（図３紙面に向かって垂直方向）の軸心ｋを備えたリール部５４に巻回されてロール化されたものである。被印字テープ３０１は、その表面にインクリボン５５と重ねられることでインクの熱転写により印字が行われる被印字材料である。
【００２５】
カートリッジホルダ７に装着されたカートリッジ３１の右側には、プラテンローラユニット１８と排出ローラユニット１９とを備えたアーム状のローラホルダ１７が、軸支部１７１を中心に左右方向に揺動可能に設けられている。上記着脱カバー６Ｂ２が取り付けられると、突起部（図示せず）によりローラホルダ１７がカートリッジ３１方向に移動する。これにより、ローラホルダ１７に設けられた排出ローラユニット１９とプラテンローラユニット１８とが印字位置（図３に示す位置）に移動する。
【００２６】
上記プラテンローラユニット１８は、ヒートシンク１５の右側に配置されている。プラテンローラユニット１８には、プラテンローラ１８２（搬送手段に相当）とプラテンローラ用ギア（図示せず）とが設けられている。プラテンローラ１８２は、ヒートシンク１５の右側面に設けられたサーマルヘッド１６（印字手段に相当）に対向する位置に配置されている。
【００２７】
サーマルヘッド１６は、複数の発熱素子を備えており、排出ローラ１９２、プラテンローラ１８２等により搬送される被印字テープ３０１に対し、所望の印字形成を行う。プラテンローラ用ギアは、フレーム１３の前側に設けられたギア（図示せず）に噛合されており、上記駆動モータから動力を伝達されたプラテンローラ用ギアが回転することで、プラテンローラ１８２が回転する。これにより、プラテンローラユニット１８が印字位置に移動した際に、プラテンローラ１８２は、被印字テープ３０１とインクリボン５５とをサーマルヘッド１６に対して押圧しつつ、上記被印字テープ３０１をその回転により排出ローラユニット１９の方向へ搬送する。
【００２８】
排出ローラユニット１９には、排出ローラ１９２と排出ローラ用ギア（図示せず）とが設けられている。排出ローラ１９２は、ローラ軸２０に対向する位置に配置されおり、被印字テープ３０１を、上記排出スリット２４へ向かう搬送経路（矢印ア，イ，ウ参照）に沿って搬送する。ローラ軸２０は、円柱状に形成された円柱部２０１と、この円柱部２０１の外周から外側に向かって放射状に形成された６個のリブ２０２とから構成されている。また、ローラ軸２０は、カートリッジ３１に設けられた搬送ローラ３９の軸孔３９１に挿入され、搬送ローラ３９を回転可能に支持している。
【００２９】
排出ローラ用ギアは、上記フレーム１３の前側に設けられたギア（図示せず）に噛合されており、駆動モータから動力を伝達された排出ローラ用ギアが回転することで、排出ローラ１９２が回転する。これにより、排出ローラユニット１９が印字位置に移動した際に、排出ローラ１９２は、被印字テープ３０１を、ローラ軸２０に回転可能に支持された搬送ローラ３９に対して押圧する。これにより、上記のようにしてサーマルヘッド１６により印字が行われた上記被印字テープ３０１が排出口５９より排出される。その後の被印字テープ３０１の搬送経路は、排出ローラ１９２等により、搬送されて上記排出スリット２４へ案内され、当該排出スリット２４からテープ印字装置１の外部に排出される。その後、使用者がカットレバー４を操作することで、上記カッタ刃によって被印字テープ３０１に対する切断が行われる。以上のように被印字テープ３０１が印字、切断されることで、対象物を梱包、結束、装飾するための印字ラベルＬ（後述の図５参照）が作成される。
【００３０】
＜制御系の機能的構造＞
図４に、テープ印字装置１における制御系の機能的な構成を示す。
【００３１】
図４において、テープ印字装置１には、例えばＣＰＵやＲＡＭ、ＲＯＭを備えたマイクロプロセッサ（特に図示せず）などからなる制御部５３０が設けられている。この制御部５３０には、駆動系５４０と、上記表示部５５０と、上記操作部３とが、入出力インターフェース５６０を介して接続されている。駆動系５４０は、上記駆動モータの駆動を制御するモータ駆動回路（図示せず）や上記サーマルヘッド１６の通電制御を行うサーマルヘッド駆動回路（図示せず）等からなる
【００３２】
ＲＯＭには、各種制御プログラムが記憶されている。ＣＰＵは、ＲＡＭの一時記憶機能を利用しつつＲＯＭに予め記憶されたプログラムに従って信号処理を行い、それによってテープ印字装置１全体の制御を行う。また、ＲＡＭ内には、テキスト文字をドットパターンに展開する印字バッファを備えている。
【００３３】
＜本実施形態の特徴＞
上記の基本構成及び動作である本実施形態の特徴は、表示部５５０のテキスト編集画面５Ａでのカーソルの表示態様が、入力されるテキスト文字の装飾設定に対応して可変に制御されることにある。以下、その詳細を順を追って説明する。
【００３４】
＜テキスト文字の入力＞
本実施形態では、例えば、まず図５（ａ）に示すように、操作者による操作部３等の適宜の操作により、上記表示部５５０に、テキスト文字の入力等の編集操作を行うためのテキスト編集画面５Ａ（テキスト入力画面に相当）が表示される。この状態で、図５（ｂ）に示すように、操作者は、上記操作部３等を用いてテキスト文字の入力を行う。この例では、「Ａ」のテキスト文字Ｔ１、「Ｂ」のテキスト文字Ｔ２、「Ｃ」のテキスト文字Ｔ３、からなる「ＡＢＣ」の文字列ＴＲが、入力されている。なお、このテキスト編集画面５Ａにおいて、これら「Ａ」「Ｂ」「Ｃ」の各テキスト文字Ｔ１，Ｔ２，Ｔ３は、予め固定的に定められた特定の１つの表示態様で表示される。以下適宜、テキスト文字Ｔ１，Ｔ２，Ｔ３等を区別しない場合はこれらを総称して単に「テキスト文字Ｔ」と称する。
【００３５】
またこのとき、図５（ａ）〜（ｃ）では図示を省略しているが、テキスト編集画面５Ａにおける上記編集操作の対象となる部位、すなわち例えば入力済みのテキスト文字の一端近傍（後述の図５（ｇ）参照）若しくはテキスト入力予定部位近傍（後述の図５（ｄ）〜（ｆ）参照）に、カーソルＫ（以下適宜、後述のカーソルＫ１〜Ｋ３等を総称してこのように記す）が表示される。
【００３６】
＜テキスト文字の装飾設定＞
そして、本実施形態では、操作者が、操作部３を介して入力を行うことで、図５（ｃ）に示すように、上記テキスト文字Ｔに対して適用する装飾設定を行うことができる。設定可能な装飾の例としては、例えば、テキスト文字のフォントを所望の書体（明朝体、ゴシック体等）としたり、テキスト文字のフォントサイズを所望のサイズ（大サイズ、小サイズ、中サイズ等）としたり、テキスト文字の横幅表示を所望の幅（全角、倍角等）としたり、テキスト文字に所望の線分の付加を行ったり（下線あり、下線なし等）、テキスト文字に所望の色彩配分（白抜きの袋文字等）を行ったり、テキスト文字を所望の文字設定（斜体、太字等）としたり、等がある。
【００３７】
この例では、「Ａ」のテキスト文字Ｔ１に対し上記所望の色彩配分（この例では白抜き袋文字）を行う装飾設定がなされ、「Ｂ」のテキスト文字Ｔ２に対しては特に装飾設定が行われず（すなわちデフォルトのままとされ）、「Ｃ」のテキスト文字Ｔ３に対し上記所望の文字設定（この例では斜体）を行う装飾設定がなされている。
【００３８】
そして、上記のように「Ａ」「Ｂ」「Ｃ」の各テキスト文字Ｔ１〜Ｔ３に対して装飾設定が行われると、本実施形態においては、テキスト編集画面５ＡにおけるカーソルＫの表示態様が、各テキスト文字Ｔ１〜Ｔ３への上記装飾設定に応じて変化する。
【００３９】
例えば操作部３を操作して上記「ＡＢＣ」の文字列ＴＲの左右方向一端（この例では左端）にカーソルを表示させた場合には、図５（ｄ）に示すように、上記「Ａ」のテキスト文字Ｔ１に対する上記白抜き袋文字の装飾設定に対応して、上下方向に延びる白抜きの棒状のカーソルＫ１となる。これにより、このカーソルＫ１の位置にそのまま文字を入力すると白抜きの袋文字となることが表される。
【００４０】
また操作部３を操作して例えば「Ａ」のテキスト文字Ｔ１と「Ｂ」のテキスト文字Ｔ２との間にカーソルを表示させた場合には、上記同様、図５（ｅ）に示すように、上記「Ａ」のテキスト文字Ｔ１に対する上記白抜き袋文字の装飾設定に対応して、上下方向に延びる白抜きの棒状のカーソルＫ１となる。これにより、「Ａ」のテキスト文字Ｔ１の装飾設定が白抜き袋文字であることが表されるとともに、このカーソルＫ１の位置にそのまま文字を入力すると白抜きの袋文字となることが表される。
【００４１】
さらに操作部３を操作して例えば「Ｂ」のテキスト文字Ｔ２と「Ｃ」のテキスト文字Ｔ３との間にカーソルを表示させた場合には、図５（ｆ）に示すように、上記「Ｂ」のテキスト文字Ｔ２に対する装飾なしの設定に対応して、上下方向に延びる細実線のカーソルＫ２となる。これにより、「Ｂ」のテキスト文字Ｔ２の装飾設定がないことが表されるとともに、このカーソルＫ２の位置にそのまま文字入力すると装飾がなされないことが表される。
【００４２】
さらに操作部３を操作して上記「ＡＢＣ」の文字列ＴＲの左右方向他端（この例では右端）にカーソルを表示させた場合には、図５（ｇ）に示すように、上記「Ｃ」のテキスト文字Ｔ３に対する上記斜体の装飾設定に対応した、斜めに傾いた細実線のカーソルＫ３となる。これにより、「Ｃ」のテキスト文字Ｔ３の装飾設定が斜体であることが表されるとともに、このカーソルＫ３の位置にそのまま文字入力すると斜体となることが表される。
【００４３】
上記のような各テキスト文字Ｔ１〜Ｔ３の装飾設定（言い替えればカーソルＫ１〜Ｋ３の表示態様）を確認して、操作者が操作部３を用いて適宜の操作（この例では印刷キーの押下）を行うと、図５（ｈ）に示すように、白抜き袋文字となった「Ａ」のテキスト文字Ｔ１と、装飾なしの「Ｂ」のテキスト文字Ｔ２と、斜字体となった「Ｃ」のテキスト文字Ｔ３とを備えた「ＡＢＣ」の文字列が形成された、（言い替えれば上記各テキスト文字Ｔ１〜Ｔ３への装飾設定通りの）印字ラベルＬが生成される。
【００４４】
なお、上記図５（ｄ）、図５（ｅ）、図５（ｆ）、図５（ｇ）に示すテキスト編集画面５Ａにおいて、対応する図６（ａ）、図６（ｂ）、図６（ｃ）、図６（ｄ）に示すように、各テキスト文字Ｔへの装飾内容（装飾の有無を含む）を表す装飾説明欄Ｓを表示しても良い。この装飾説明欄Ｓの表示内容は、カーソルＫの表示態様が変化すると、それに対応して変化する。
【００４５】
すなわち、図５（ｄ）に対応する図６（ａ）では、前述の「Ａ」のテキスト文字Ｔ１に対する上記白抜き袋文字の装飾設定、及び、上記テキスト文字Ｔ１の左側の白抜きの棒状のカーソルＫ１に対応して、装飾説明欄Ｓに「装飾：袋文字」と表示されている。
【００４６】
また、図５（ｅ）に対応する図６（ｂ）では、前述の「Ａ」のテキスト文字Ｔ１に対する上記白抜き袋文字の装飾設定、及び、「Ａ」のテキスト文字Ｔ１と「Ｂ」のテキスト文字Ｔ２との間の上記白抜きの棒状のカーソルＫ１に対応して、装飾説明欄Ｓに、上記同様に「装飾：袋文字」と表示されている。
【００４７】
また、図５（ｆ）に対応する図６（ｃ）では、前述の「Ｂ」のテキスト文字Ｔ２に対する装飾なしの設定、及び、「Ｂ」のテキスト文字Ｔ２と「Ｃ」のテキスト文字Ｔ３との間の上記細実線のカーソルＫ２に対応して、装飾説明欄Ｓに、「装飾：なし」と表示されている。
【００４８】
また、図５（ｇ）に対応する図６（ｄ）では、前述の「Ｃ」のテキスト文字Ｔ３に対する上記斜体の装飾設定、及び、上記テキスト文字Ｔ３の右側の斜め細実線のカーソルＫ３に対応して、装飾説明欄Ｓに、「装飾：斜体」と表示されている。
【００４９】
＜制御手順＞
以上説明した手法を実現するために、上記制御部５３０のＣＰＵによって実行される処理手順を表すフローを図７に示す。
【００５０】
図７において、例えば操作者が上記操作部３を操作することにより、このフローが開始される（「ＳＴＡＲＴ」位置）。
【００５１】
まず、ステップＳ１０で、ＣＰＵは、表示部５５０に制御信号を出力し、前述のテキスト編集画面５Ａを表示させる（上記図５（ａ）参照）。ステップＳ１０が終了すると、ステップＳ２０に移る。
【００５２】
ステップＳ２０では、ＣＰＵは、操作者が操作部３を介して実行したテキスト文字Ｔの入力操作を受け付け、表示部５５０に制御信号を出力して上記入力された各テキスト文字Ｔをテキスト編集画面５Ａに表示する（上記図５（ｂ）参照）。図５に示した前述の例では「Ａ」「Ｂ」「Ｃ」のテキスト文字Ｔ１，Ｔ２，Ｔ３の入力操作が受け付けられ、テキスト編集画面５Ａに表示される。なお、このとき、ＣＰＵは、既に述べたように、各テキスト文字Ｔ１，Ｔ２，Ｔ３を、（後述の各テキスト文字Ｔに対する装飾設定に関係なく）予め固定的に定められた特定の１つの表示態様で表示する。なお、上記ステップＳ１０及びステップＳ２０を実行するＣＰＵが各請求項記載の画面表示制御手段として機能する。ステップＳ２０が終了すると、ステップＳ３０に移る。
【００５３】
ステップＳ３０では、ＣＰＵは、上記ステップＳ２０で操作者が操作部３を介して入力したテキスト文字Ｔの各文字に対して適用する装飾設定（装飾を行わないという設定を含む）を受け付ける。図５に示した前述の例では、「Ａ」のテキスト文字Ｔ１に対する白抜き文字の装飾設定、「Ｂ」のテキスト文字Ｔ２に対する装飾なしの設定「Ｃ」のテキスト文字Ｔ３に対する白抜き文字の装飾設定がそれぞれ受け付けられる。ステップＳ３０が終了すると、ステップＳ４０に移る。
【００５４】
ステップＳ４０では、ＣＰＵは、表示部５５０に制御信号を出力し、上記ステップＳ３０で設定した装飾に対応した態様で、カーソルＫ（前述の例では白抜き袋文字に対応したカーソルＫ１、装飾なしに対応したカーソルＫ２、斜字体に対応したカーソルＫ３）をテキスト編集画面５Ａに表示する。なお、このステップＳ４０を実行するＣＰＵが各請求項記載のカーソル表示制御手段として機能する。ステップＳ４０が終了すると、ステップＳ５０に移る。
【００５５】
ステップＳ５０では、ＣＰＵは、上記操作部３に備えられる印刷キー（図示省略）が押されたか否かを判定する。印刷キーが押されていない場合は、ステップＳ５０の判定が満たされず（Ｓ５０：ＮＯ）、ステップＳ２０に戻って以降は同じ手順を繰り返す。印刷キーが押された場合は、ステップＳ５０の判定が満たされ（Ｓ５０：ＹＥＳ）、ステップＳ７０に移行する。
【００５６】
ステップＳ７０では、ＣＰＵは、上記ステップＳ３０で各テキスト文字Ｔ１，Ｔ２，Ｔ３に対し設定された装飾を反映させつつ、それらテキスト文字Ｔ１，Ｔ２，Ｔ３の印字データを生成する。ステップＳ７０が終了すると、ステップＳ８０に移る。
【００５７】
ステップＳ８０では、ＣＰＵは、駆動系５４０のモータ駆動回路（図示せず）に制御信号を出力し、駆動モータを回転させることでプラテンローラ１８２の回転駆動を開始する。これにより、被印字テープ３０１の搬送が開始される。ステップＳ８０が終了すると、ステップＳ９０に移る。
【００５８】
ステップＳ９０では、ＣＰＵは、上記ステップＳ７０で生成された印字データに基づき、上記のようにして搬送される被印字テープ３０１が所定の印字領域の開始位置まで搬送されたかどうか（印字領域の前端にサーマルヘッド１６が正対する搬送方向位置になるまで被印字テープ３０１が搬送されたかどうか）、を判定する。この判定は、例えばステッピングモータからなる上記駆動モータのパルス数をカウントする等、公知の適宜の手法により行えば足りる。被印字テープ３０１が印字領域の開始位置まで搬送されていなければステップＳ９０の判定が満たされず（Ｓ９０：ＮＯ）、ステップＳ９０の判定が満たされるまでループ待機する。被印字テープ３０１が印字領域の開始位置まで搬送されたらステップＳ９０の判定が満たされ（Ｓ９０：ＹＥＳ）、ステップＳ１００に移る。
【００５９】
ステップＳ１００では、ＣＰＵは、ステップＳ７０で生成された印字データに基づきサーマルヘッド１６の発熱素子に通電を行う印字処理を行う。これにより、被印字テープ３０１に、上記通電された発熱素子によりインクリボン５５のインクが転写され、上記印字データに対応した印字が形成される。ステップＳ１００が終了すると、ステップＳ１１０に移る。
【００６０】
ステップＳ１１０では、ＣＰＵは、搬送される被印字テープ３０１が印字領域の終了位置まで搬送されたかどうか（印字領域の後端にサーマルヘッド１６が正対する搬送方向位置になるまで被印字テープ３０１が搬送されたかどうか）、を判定する。この判定も上記同様の公知の手法により行えば足りる。被印字テープ３０１が印字領域の終了位置まで搬送されていなければステップＳ１１０の判定が満たされず（Ｓ１１０：ＮＯ）、ステップＳ１００に戻って同様の手順を繰り返す。被印字テープ３０１が印字領域の終了位置まで搬送されていればステップＳ１１０の判定が満たされ（Ｓ１１０：ＹＥＳ）、ステップＳ１２０に移る。
【００６１】
ステップＳ１２０では、ＣＰＵは、上記ステップＳ７０で生成された印字データに基づき、搬送される被印字テープ３０１が、上記印字データに基づく印字領域よりラベル後端側（搬送方向上流側）に設定される所定の切断位置まで搬送されたかどうか（上記切断位置に上記カッタ刃が正対する搬送方向位置になるまで、印字済みの被印字テープ３０１が搬送されたかどうか）、を判定する。この判定も、前述と同様の公知の手法により行えば足りる。被印字テープ３０１が切断位置まで搬送されていなければステップＳ１２０の判定が満たされず（Ｓ１２０：ＮＯ）、ステップＳ１２０の判定が満たされるまでループ待機する。被印字テープ３０１が切断位置まで搬送されたらステップＳ１２０の判定が満たされ（Ｓ１２０：ＹＥＳ）、ステップＳ１３０に移る。
【００６２】
ステップＳ１３０では、ＣＰＵは、駆動系５４０の上記モータ駆動回路に制御信号を出力し、駆動モータによるプラテンローラ１８２の駆動を停止する。これにより、被印字テープ３０１の搬送が停止する。
【００６３】
ステップＳ１４０では、ＣＰＵは、表示部５５０に制御信号を出力する。これにより、操作者に対し、カットレバー４を操作し、上記印字済みの被印字テープ３０１を切断するよう促す、適宜の表示が表示部５５０において行われる。操作者がカットレバー４を操作することで、被印字テープ３０１の切断が行われ、上記ステップＳ３０で設定された装飾態様の印字（上記の例ではテキスト文字Ｔ１，Ｔ２，Ｔ３）が形成された、上記印字ラベルＬが生成される（図５（ｈ）参照）。その後、このフローを終了する。
【００６４】
＜実施形態の効果＞
以上説明したように、本実施形態では、上記のようにテキスト入力画面５ＡにカーソルＫを表示する際、各テキスト文字Ｔ１〜Ｔ３に対し設定された装飾設定に応じた態様のカーソルＫ１〜Ｋ３により表示する。これにより、テキスト編集画面５Ａであっても、操作者は、現在どのような装飾設定となっているかを直感的に容易に知ることができ、利便性を向上することができる。
【００６５】
なお、本発明は、上記実施形態に限られるものではなく、その趣旨及び技術的思想を逸脱しない範囲内で種々の変形が可能である。以下、そのような変形例を順を追って説明する。なお、各変形例において、上記実施形態と同等の部分には同一の符号を付し、適宜説明を省略又は簡略化する。
【００６６】
（１）書体設定のバリエーション
すなわち、本変形例は、各テキスト文字Ｔ（前述と同様、「Ａ」のテキスト文字Ｔ１、「Ｂ」のテキスト文字Ｔ２、「Ｃ」のテキスト文字Ｔ３）ごとに、互いに異なる所望の書体設定が可能な場合の例である。この例では、「Ａ」のテキスト文字Ｔ１に対しゴシック体の装飾設定がなされ、「Ｂ」のテキスト文字Ｔ２に対して明朝体の装飾設定がなされ、「Ｃ」のテキスト文字Ｔ３に対し上記同様のゴシック体の装飾設定がなされている。なお、この変形例では、当該書体設定以外の装飾態様（詳細説明は省略）については、予め定められたデフォルトのままとなっている。
【００６７】
上記図６（ｂ）〜（ｄ）にそれぞれ対応する図８（ａ）〜（ｃ）に、各カーソル位置に応じたカーソルの表示態様を示す。
【００６８】
すなわち、例えば操作部３を操作して「Ａ」のテキスト文字Ｔ１と「Ｂ」のテキスト文字Ｔ２との間にカーソルを表示させた場合には、図８（ａ）に示すように、上記「Ａ」のテキスト文字Ｔ１に対する上記ゴシック体の装飾設定に対応して、上下方向に延びる太棒状のカーソルＫ４となる。これにより、「Ａ」のテキスト文字Ｔ１の装飾設定がゴシック体であることが表されるとともに、このカーソルＫ４の位置にそのまま文字を入力するとゴシック体となることが表される。
【００６９】
また操作部３を操作して例えば「Ｂ」のテキスト文字Ｔ２と「Ｃ」のテキスト文字Ｔ３との間にカーソルを表示させた場合には、図８（ｂ）に示すように、上記「Ｂ」のテキスト文字Ｔ２に対する明朝体の設定に対応して、上下方向の棒の上下両端に左右方向の鍔部が付加されたカーソルＫ５となる。これにより、「Ｂ」のテキスト文字Ｔ２の装飾設定が明朝体であることが表されるとともに、このカーソルＫ５の位置にそのまま文字入力すると明朝体となることが表される。
【００７０】
さらに操作部３を操作して「Ｃ」のテキスト文字Ｔ３の右側にカーソルを表示させた場合には、図８（ｃ）に示すように、上記「Ｃ」のテキスト文字Ｔ３に対する上記ゴシック体の装飾設定に対応した上記カーソルＫ４となる。これにより、「Ｃ」のテキスト文字Ｔ３の装飾設定がゴシック体であることが表されるとともに、このカーソルＫ４の位置にそのまま文字を入力するとゴシック体となることが表される。
【００７１】
上記のような各テキスト文字Ｔ１〜Ｔ３の装飾設定（言い替えればカーソルＫ４，Ｋ５，Ｋ４の表示態様）を確認して、操作者が操作部３を用いて適宜の操作（この例では印刷キーの押下）を行うと、図８（ｄ）に示すように、ゴシック体となった「Ａ」のテキスト文字Ｔ１と、明朝体となった「Ｂ」のテキスト文字Ｔ２と、ゴシック体となった「Ｃ」のテキスト文字Ｔ３とを備えた「ＡＢＣ」の文字列が形成された印字ラベルＬが生成される。
【００７２】
本変形例においても、上記実施形態と同様の効果を得る。
【００７３】
（２）フォントサイズ大小設定のバリエーション
すなわち、本変形例は、各テキスト文字Ｔ（前述と同様、「Ａ」のテキスト文字Ｔ１、「Ｂ」のテキスト文字Ｔ２、「Ｃ」のテキスト文字Ｔ３）ごとに、互いに異なる所望のフォントサイズ設定が可能な場合の例である。この例では、「Ａ」のテキスト文字Ｔ１に対しフォントサイズ大の装飾設定がなされ、「Ｂ」のテキスト文字Ｔ２に対して上記同様のフォントサイズ大の装飾設定がなされ、「Ｃ」のテキスト文字Ｔ３に対しフォントサイズ小の装飾設定がなされている。なお、この変形例では、当該フォントサイズ設定以外の装飾態様（詳細説明は省略）については、予め定められたデフォルトのままとなっている。
【００７４】
上記図６（ｂ）〜（ｄ）にそれぞれ対応する図９（ａ）〜（ｃ）に、各カーソル位置に応じたカーソルの表示態様を示す。
【００７５】
すなわち、例えば操作部３を操作して「Ａ」のテキスト文字Ｔ１と「Ｂ」のテキスト文字Ｔ２との間にカーソルを表示させた場合には、図９（ａ）に示すように、上記「Ａ」のテキスト文字Ｔ１に対する上記フォントサイズ大の装飾設定に対応して、上下方向に延びる長直線状のカーソルＫ６となる。これにより、「Ａ」のテキスト文字Ｔ１の装飾設定がフォントサイズ大であることが表されるとともに、このカーソルＫ６の位置にそのまま文字を入力するとフォントサイズが大サイズとなることが表される。
【００７６】
また操作部３を操作して例えば「Ｂ」のテキスト文字Ｔ２と「Ｃ」のテキスト文字Ｔ３との間にカーソルを表示させた場合には、図９（ｂ）に示すように、上記「Ｂ」のテキスト文字Ｔ２に対するフォントサイズ大の設定に対応して、上記同様、カーソルＫ６となる。これにより、「Ｂ」のテキスト文字Ｔ２の装飾設定がフォントサイズ大であることが表されるとともに、このカーソルＫ６の位置にそのまま文字入力するとフォントサイズが大サイズとなることが表される。
【００７７】
さらに操作部３を操作して「Ｃ」のテキスト文字Ｔ３の右側にカーソルを表示させた場合には、図９（ｃ）に示すように、上記「Ｃ」のテキスト文字Ｔ３に対する上記フォントサイズ小の装飾設定に対応した、上下方向に延びる短直線状の（上記カーソルＫ６よりも短い）カーソルＫ７となる。これにより、「Ｃ」のテキスト文字Ｔ３の装飾設定がフォントサイズ小であることが表されるとともに、このカーソルＫ７の位置にそのまま文字を入力するとフォントサイズが小サイズとなることが表される。
【００７８】
上記のような各テキスト文字Ｔ１〜Ｔ３の装飾設定（言い替えればカーソルＫ６，Ｋ６，Ｋ７の表示態様）を確認して、操作者が操作部３を用いて適宜の操作（この例では印刷キーの押下）を行うと、図９（ｄ）に示すように、フォントサイズ大となった「Ａ」のテキスト文字Ｔ１と、フォントサイズ大となった「Ｂ」のテキスト文字Ｔ２と、フォントサイズ小となった「Ｃ」のテキスト文字Ｔ３とを備えた「ＡＢＣ」の文字列が形成された印字ラベルＬが生成される。
【００７９】
本変形例においても、上記実施形態と同様の効果を得る。
【００８０】
（３）文字の横幅設定のバリエーション
すなわち、本変形例は、各テキスト文字Ｔ（前述と同様、「Ａ」のテキスト文字Ｔ１、「Ｂ」のテキスト文字Ｔ２、「Ｃ」のテキスト文字Ｔ３）ごとに、互いに異なる所望の文字横幅設定が可能な場合の例である。この例では、「Ａ」のテキスト文字Ｔ１に対し倍角幅（後述する全角幅の２倍の横幅）の装飾設定がなされ、「Ｂ」のテキスト文字Ｔ２に対して上記同様の倍角幅の装飾設定がなされ、「Ｃ」のテキスト文字Ｔ３に対し全角幅（上記倍角幅の１／２の横幅）の装飾設定がなされている。なお、この変形例では、当該文字表示の横幅の設定以外の装飾態様（詳細説明は省略）については、予め定められたデフォルトのままとなっている。
【００８１】
上記図６（ｂ）〜（ｄ）にそれぞれ対応する図１０（ａ）〜（ｃ）に、各カーソル位置に応じたカーソルの表示態様を示す。
【００８２】
すなわち、例えば操作部３を操作して「Ａ」のテキスト文字Ｔ１と「Ｂ」のテキスト文字Ｔ２との間にカーソルを表示させた場合には、図１０（ａ）に示すように、上記「Ａ」のテキスト文字Ｔ１に対する上記倍角幅の装飾設定に対応して、上下方向に延びる太幅のカーソルＫ８となる。これにより、「Ａ」のテキスト文字Ｔ１の装飾設定が倍角幅であることが表されるとともに、このカーソルＫ８の位置にそのまま文字を入力すると文字が倍角幅となることが表される。
【００８３】
また操作部３を操作して例えば「Ｂ」のテキスト文字Ｔ２と「Ｃ」のテキスト文字Ｔ３との間にカーソルを表示させた場合には、図１０（ｂ）に示すように、上記「Ｂ」のテキスト文字Ｔ２に対する倍角幅の設定に対応して、上記同様、カーソルＫ８となる。これにより、「Ｂ」のテキスト文字Ｔ２の装飾設定が倍角幅であることが表されるとともに、このカーソルＫ８の位置にそのまま文字入力すると文字が倍角幅となることが表される。
【００８４】
さらに操作部３を操作して「Ｃ」のテキスト文字Ｔ３の右側にカーソルを表示させた場合には、図１０（ｃ）に示すように、上記「Ｃ」のテキスト文字Ｔ３に対する上記全角幅の装飾設定に対応した、上下方向に延びる細幅の（上記カーソルＫ８よりも細い）カーソルＫ９となる。これにより、「Ｃ」のテキスト文字Ｔ３の装飾設定が全角幅であることが表されるとともに、このカーソルＫ９の位置にそのまま文字を入力すると文字が全角幅となることが表される。
【００８５】
上記のような各テキスト文字Ｔ１〜Ｔ３の装飾設定（言い替えればカーソルＫ８，Ｋ８，Ｋ９の表示態様）を確認して、操作者が操作部３を用いて適宜の操作（この例では印刷キーの押下）を行うと、図１０（ｄ）に示すように、倍角幅となった「Ａ」のテキスト文字Ｔ１と、倍角幅となった「Ｂ」のテキスト文字Ｔ２と、全角幅となった「Ｃ」のテキスト文字Ｔ３とを備えた「ＡＢＣ」の文字列が形成された印字ラベルＬが生成される。
【００８６】
本変形例においても、上記実施形態と同様の効果を得る。
【００８７】
（４）線分付加設定のバリエーション
すなわち、本変形例は、各テキスト文字Ｔ（前述と同様、「Ａ」のテキスト文字Ｔ１、「Ｂ」のテキスト文字Ｔ２、「Ｃ」のテキスト文字Ｔ３）ごとに、互いに異なる所望の線分付加設定（線分を付加しない場合を含む）が可能な場合の例である。この例では、「Ａ」のテキスト文字Ｔ１に対し下線なしの装飾設定がなされ、「Ｂ」のテキスト文字Ｔ２に対して線分としての下線ありの装飾設定がなされ、「Ｃ」のテキスト文字Ｔ３に対し上記同様の下線なしの装飾設定がなされている。なお、この変形例では、当該線分付加設定以外の装飾態様（詳細説明は省略）については、予め定められたデフォルトのままとなっている。
【００８８】
上記図６（ｂ）〜（ｄ）にそれぞれ対応する図１１（ａ）〜（ｃ）に、各カーソル位置に応じたカーソルの表示態様を示す。
【００８９】
すなわち、例えば操作部３を操作して「Ａ」のテキスト文字Ｔ１と「Ｂ」のテキスト文字Ｔ２との間にカーソルを表示させた場合には、図１１（ａ）に示すように、上記「Ａ」のテキスト文字Ｔ１に対する上記下線なしの装飾設定に対応して、上下方向に延びる直線状のカーソルＫ１０となる。これにより、「Ａ」のテキスト文字Ｔ１の装飾設定が下線なしであることが表されるとともに、このカーソルＫ１０の位置にそのまま文字を入力すると下線なしとなることが表される。
【００９０】
また操作部３を操作して例えば「Ｂ」のテキスト文字Ｔ２と「Ｃ」のテキスト文字Ｔ３との間にカーソルを表示させた場合には、図１１（ｂ）に示すように、上記「Ｂ」のテキスト文字Ｔ２に対する下線ありの設定に対応して、上下方向の直線の下端から少し離れて左右方向の短線分が付加されたカーソルＫ１１となる。これにより、「Ｂ」のテキスト文字Ｔ２の装飾設定が下線ありであることが表されるとともに、このカーソルＫ１１の位置にそのまま文字入力すると下線が付加されることが表される。
【００９１】
さらに操作部３を操作して「Ｃ」のテキスト文字Ｔ３の右側にカーソルを表示させた場合には、図１１（ｃ）に示すように、上記「Ｃ」のテキスト文字Ｔ３に対する上記下線なしの装飾設定に対応した上記カーソルＫ１０となる。これにより、「Ｃ」のテキスト文字Ｔ３の装飾設定が下線なしであることが表されるとともに、このカーソルＫ１０の位置にそのまま文字を入力すると下線なしとなることが表される。
【００９２】
上記のような各テキスト文字Ｔ１〜Ｔ３の装飾設定（言い替えればカーソルＫ１０，Ｋ１１，Ｋ１０の表示態様）を確認して、操作者が操作部３を用いて適宜の操作（この例では印刷キーの押下）を行うと、図１１（ｄ）に示すように、下線ＵＬが付加されない「Ａ」のテキスト文字Ｔ１と、下線ＵＬが付加された「Ｂ」のテキスト文字Ｔ２と、下線ＵＬが付加されない「Ｃ」のテキスト文字Ｔ３とを備えた「ＡＢＣ」の文字列が形成された印字ラベルＬが生成される。
【００９３】
本変形例においても、上記実施形態と同様の効果を得る。
【００９４】
（５）各装飾設定の組合せ
すなわち、本変形例は、各テキスト文字Ｔ（前述と同様、「Ａ」のテキスト文字Ｔ１、「Ｂ」のテキスト文字Ｔ２、「Ｃ」のテキスト文字Ｔ３）ごとに、互いに異なる所望の書体設定・フォントサイズ設定・線分付加設定・文字設定が可能な場合の例である。
【００９５】
すなわちこの例では、「Ａ」のテキスト文字Ｔ１に対し、ゴシック体・フォントサイズ大・下線なし・非斜字体の装飾設定がなされ、「Ｂ」のテキスト文字Ｔ２に対してゴシック体・フォントサイズ小・下線あり・非斜字体の装飾設定がなされ、「Ｃ」のテキスト文字Ｔ３に対し明朝体・フォントサイズ中・下線なし・斜字体の装飾設定がなされている。なお、この変形例では、上記書体設定・フォントサイズ設定・線分付加設定・文字設定以外の装飾態様（詳細説明は省略）については、予め定められたデフォルトのままとなっている。
【００９６】
上記図６（ｂ）〜（ｄ）にそれぞれ対応する図１２（ａ）〜（ｃ）に、各カーソル位置に応じたカーソルの表示態様を示す。
【００９７】
すなわち、例えば操作部３を操作して「Ａ」のテキスト文字Ｔ１と「Ｂ」のテキスト文字Ｔ２との間にカーソルを表示させた場合には、図１２（ａ）に示すように、上記「Ａ」のテキスト文字Ｔ１に対する上記ゴシック体・フォントサイズ大・下線なし・非斜字体の装飾設定に対応して、上下方向に延びる直線状のカーソルＫ１２となる。これにより、「Ａ」のテキスト文字Ｔ１の装飾設定がゴシック体・フォントサイズ大・下線なし・非斜体であることが表されるとともに、このカーソルＫ１２の位置にそのまま文字を入力すると、ゴシック体かつフォントサイズ大で、下線なしの斜字でない文字となることが表される。
【００９８】
また操作部３を操作して例えば「Ｂ」のテキスト文字Ｔ２と「Ｃ」のテキスト文字Ｔ３との間にカーソルを表示させた場合には、図１２（ｂ）に示すように、上記「Ｂ」のテキスト文字Ｔ２に対するゴシック体・フォントサイズ小・下線あり・非斜体の装飾設定に対応して、上下方向に延びる短い直線の下端部に少し離れて線分が付加されたカーソルＫ１３となる。これにより、これにより、「Ｂ」のテキスト文字Ｔ２の装飾設定がゴシック体・フォントサイズ小・下線あり・非斜体であることが表されるとともに、このカーソルＫ１３の位置にそのまま文字入力すると、ゴシック体かつフォントサイズ小で、下線ありの斜字でない文字となることが表される。
【００９９】
さらに操作部３を操作して「Ｃ」のテキスト文字Ｔ３の右側にカーソルを表示させた場合には、図１２（ｃ）に示すように、上記「Ｃ」のテキスト文字Ｔ３に対する明朝体・フォントサイズ中・下線なし・斜体の装飾設定に対応した、斜め方向に延びる直線の上下両端に左右方向の鍔部がそれぞれ付加された、（上記フォントサイズ中に対応した中くらいの大きさの）カーソルＫ１４となる。これにより、「Ｃ」のテキスト文字Ｔ３の装飾設定が明朝体・フォントサイズ中・下線なし・斜体であることが表されるとともに、このカーソルＫ１４の位置にそのまま文字を入力すると、明朝体かつフォントサイズ中で、下線なしの斜字の文字となることが表される。
【０１００】
上記のような各テキスト文字Ｔ１〜Ｔ３の装飾設定（言い替えればカーソルＫ１２，Ｋ１３，Ｋ１４の表示態様）を確認して、操作者が操作部３を用いて適宜の操作（この例では印刷キーの押下）を行うと、図１２（ｄ）に示すように、ゴシック体・フォントサイズ大・下線なし・非斜体となった「Ａ」のテキスト文字Ｔ１と、ゴシック体・フォントサイズ小・下線あり・非斜体となった「Ｂ」のテキスト文字Ｔ２と、明朝体・フォントサイズ中・下線なし・斜体となった「Ｃ」のテキスト文字Ｔ３とを備えた「ＡＢＣ」の文字列が形成された印字ラベルＬが生成される。
【０１０１】
本変形例においても、上記実施形態と同様の効果を得る。
【０１０２】
（６）テキスト文字の下端に横カーソルを表示する場合
すなわち、本変形例では、前述において各テキスト文字Ｔ（前述と同様、「Ａ」のテキスト文字Ｔ１、「Ｂ」のテキスト文字Ｔ２、「Ｃ」のテキスト文字Ｔ３）の文字どうしの間、あるいは「Ａ」のテキスト文字Ｔ１の左側あるいは「Ｃ」のテキスト文字Ｔ３の右側に、上下方向（縦方向）のカーソルが移動可能に表示されたのに代え、各テキスト文字Ｔの下端に左右方向（横方向）のカーソルが移動可能に表示される。
【０１０３】
そして、この変形例では、各テキスト文字Ｔごとに、互いに異なる所望の書体設定が可能な場合を例にとって説明する。この例では、「Ａ」のテキスト文字Ｔ１に対しゴシック体の装飾設定がなされ、「Ｂ」のテキスト文字Ｔ２に対して明朝体の装飾設定がなされ、「Ｃ」のテキスト文字Ｔ３に対し上記同様のゴシック体の装飾設定がなされている。なお、この変形例では、当該書体設定以外の装飾態様（詳細説明は省略）については、予め定められたデフォルトのままとなっている。
【０１０４】
上記図６（ｂ）〜（ｄ）にそれぞれ対応する図１３（ａ）〜（ｃ）に、各カーソル位置に応じたカーソルの表示態様を示す。
【０１０５】
すなわち、例えば操作部３を操作して「Ａ」のテキスト文字Ｔ１の下端にカーソルを表示させた場合には、図１３（ａ）に示すように、上記「Ａ」のテキスト文字Ｔ１に対する上記ゴシック体の装飾設定に対応して、左右方向に延びる太棒状のカーソルＫ１５となる。これにより、「Ａ」のテキスト文字Ｔ１の装飾設定がゴシック体であることが表されるとともに、このカーソルＫ１５の位置（言い替えればテキスト文字Ｔ１の前の文字位置）にそのまま文字を入力するとゴシック体となることが表される。
【０１０６】
また操作部３を操作して例えば「Ｂ」のテキスト文字Ｔ２の下端にカーソルを表示させた場合には、図１３（ｂ）に示すように、上記「Ｂ」のテキスト文字Ｔ２に対する明朝体の設定に対応して、左右方向の棒の左右両端に上下方向の鍔部が付加されたカーソルＫ１６となる。これにより、「Ｂ」のテキスト文字Ｔ２の装飾設定が明朝体であることが表されるとともに、このカーソルＫ１６の位置（言い替えればテキスト文字Ｔ２の前の文字位置）にそのまま文字入力すると明朝体となることが表される。
【０１０７】
さらに操作部３を操作して「Ｃ」のテキスト文字Ｔ３の下端にカーソルを表示させた場合には、図１３（ｃ）に示すように、上記「Ｃ」のテキスト文字Ｔ３に対する上記ゴシック体の装飾設定に対応した上記カーソルＫ１５となる。これにより、「Ｃ」のテキスト文字Ｔ３の装飾設定がゴシック体であることが表されるとともに、このカーソルＫ１５の位置（言い替えればテキスト文字Ｔ１の前の文字位置）にそのまま文字を入力するとゴシック体となることが表される。
【０１０８】
上記のような各テキスト文字Ｔ１〜Ｔ３の装飾設定（言い替えればカーソルＫ１５，Ｋ１６，Ｋ１５の表示態様）を確認して、操作者が操作部３を用いて適宜の操作（この例では印刷キーの押下）を行うと、図１３（ｄ）に示すように、ゴシック体となった「Ａ」のテキスト文字Ｔ１と、明朝体となった「Ｂ」のテキスト文字Ｔ２と、ゴシック体となった「Ｃ」のテキスト文字Ｔ３とを備えた「ＡＢＣ」の文字列が形成された印字ラベルＬが生成される。
【０１０９】
本変形例においても、上記実施形態と同様の効果を得る。なお、上記では、各テキスト文字Ｔの下端に表示される左右方向のカーソルにおいて、各テキスト文字Ｔごとに、互いに異なる所望の書体設定が可能な場合を例にとって説明したが、これに限られない。すなわち、上記実施形態及び変形例（１）〜（５）と同様、各テキスト文字Ｔごとに、互いに異なるフォントサイズ設定、横幅表示設定、線分の付加設定、色彩配分設定、文字設定等が可能な場に適用しても良い。これらの場合も同様の効果を得る
【０１１０】
（７）その他
例えば上記実施形態及び変形例（１）〜（５）においては、各テキスト文字Ｔ（前述と同様、「Ａ」のテキスト文字Ｔ１、「Ｂ」のテキスト文字Ｔ２、「Ｃ」のテキスト文字Ｔ３）の文字どうしの間、あるいは「Ａ」のテキスト文字Ｔ１の左側あるいは「Ｃ」のテキスト文字Ｔ３の右側に、上下方向（縦方向）のカーソルが移動可能に表示された。例えばその際、一部のテキスト文字Ｔにカーソルが重複するように表示（例えば文字列ＴＲの左右方向端部ではなく端部近傍等に表示、等）していてもよい。同様に、上記変形例（６）においては、各テキスト文字Ｔの下端に左右方向（横方向）のカーソルが移動可能に表示されたが、各テキスト文字Ｔの下端に一部カーソルが重複するように表示（言い替えれば各テキスト文字Ｔの下端近傍に表示、等）してもよい。
【０１１１】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１１２】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
但し、例えばしきい値や基準値等、所定の判定基準となる値あるいは区切りとなる値の記載がある場合は、それらに対しての「同一」「等しい」「異なる」等は、上記とは異なり、厳密な意味である。
【０１１３】
なお、以上において、図４に示す矢印は信号の流れの一例を示すものであり、信号の流れ方向を限定するものではない。
【０１１４】
また、図７に示すフローチャートは本発明を上記フローに示す手順に限定するものではなく、発明の趣旨及び技術的思想を逸脱しない範囲内で手順の追加・削除又は順番の変更等をしてもよい。例えば、ステップＳ２０でのテキスト文字入力操作受付→ステップＳ３０での装飾設定の受付、の順ではなく、ステップＳ３０での装飾設定の受付→ステップＳ２０でのテキスト文字入力操作受付の順番でも良い。その際、それら２つのステップが終了してからステップＳ４０での装飾付きカーソルの表示を行っても良いし、ステップＳ３０での装飾設定の受付→ステップＳ４０での装飾付きカーソルの表示→ステップＳ２０でのテキスト文字入力操作受付という順番等でもよい。これらの場合も同様の効果を得る。
【０１１５】
また、以上既に述べた以外にも、上記実施形態や各変形例による手法を適宜組み合わせて利用しても良い。
【０１１６】
その他、一々例示はしないが、本発明は、その趣旨を逸脱しない範囲内において、種々の変更が加えられて実施されるものである。
【符号の説明】
【０１１７】
１                テープ印字装置（印刷装置）
３                操作部（操作手段、設定手段）
５Ａ              テキスト編集画面（テキスト入力画面）
１６              サーマルヘッド（印字手段）
１８２            プラテンローラ（搬送手段）
３０１            被印字テープ
５５０            表示部（表示手段）
Ｋ１〜１６        カーソル
Ｔ１〜３          テキスト文字
ＵＬ              下線
【図１】
0006428659.tif 000002
【図２】
0006428659.tif 000003
【図３】
0006428659.tif 000004
【図４】
0006428659.tif 000005
【図５】
0006428659.tif 000006
【図６】
0006428659.tif 000007
【図７】
0006428659.tif 000008
【図８】
0006428659.tif 000009
【図９】
0006428659.tif 000010
【図１０】
0006428659.tif 000011
【図１１】
0006428659.tif 000012
【図１２】
0006428659.tif 000013
【図１３】
0006428659.tif 000014